(57)【要約】      （修正有）【課題】構造が簡単で安価な個人認証装置を提供する。【解決手段】接続具を有する指サックと、指サックにガス導入装置を具備し、接続具に接続可能であって、ストップコックを備えた注射器とを具備する皮膚透過ガス収集装置により皮膚透過ガスを収集するとともに、指サックに指紋認証装置や静脈認証装置等の認証装置を併設し、皮膚ガスの採取と同時に個人認証を合わせ行う。【選択図】図３
0003153528.tif 000002
【実用新案登録請求の範囲】
【請求項１】
（ａ）接続具を有する指サックと、
（ｂ）該指サックにガス導入装置を具備し、
（ｃ）前記接続具に接続可能であって、ストップコックを備えた注射器とを具備する皮膚透過ガス収集装置により
（ｄ）皮膚透過ガスを収集するとともに、
（ｅ）前記指サックに指紋認証装置を併設し、
（ｆ）指紋認証装置又は静脈認証装置等の認証装置により個人認証を合わせ行うようにしたことを特徴とする個人認証装置。
【請求項２】
（ａ）皮膚透過ガスを貯溜するとともに開口を有する第１の容器と、
（ｂ）前記貯溜する皮膚透過ガスを循環させる送風ファンと、
（ｃ）該送風ファンによるガス循環路に設置する発色試薬を有する測定装置とを具備することを特徴とする皮膚透過ガス測定装置からなり、
（ｄ）指紋認証装置又は静脈認証装置等の認証装置により個人認証を合わせ行うようにした請求項１記載の個人認証装置。
【考案の詳細な説明】
【技術分野】
【０００１】  本考案は、皮膚透過ガス収集装置により皮膚透過ガスを収集する指サックに、被験者を認証する指紋認証装置や静脈認証装置等の認証装置を併設した個人認証装置に関するものである。また腕などから皮膚ガス採取装置の使用のときに組み合わせて使用する個人認証装置との組み合わせに関するものである。
【背景技術】
【０００２】  従来、人の健康状態を知るための臨床項目としては、血液と人の代謝物（尿、便）が主に用いられてきたが、近年、唾液や呼気ガスも対象になりつつあり、また汗も将来臨床項目として含まれるだろう。これらの呼気ガス、唾液、汗中の成分は、血液の成分に依存しており、その両者の間には量的な相関が認められる。将来これら非侵襲の代謝物が在宅医療や健康管理の方面に利用されるようになるものと思われる。
ところで、かかる皮膚透過ガスによる臨床測定や人の健康状態を調べる測定器は、これまで全く存在していない。これは、皮膚透過ガスの存在自体が想定されていなかったことによる。考案者は特許第４０２４８１７号（特許文献１）により、人の皮膚透過ガスの収集装置についての発明をした。また、個人認証として特公表２００９−５００２４６（特許文献２）には、指紋認証と人の発汗データを利用することが開示されているが、開示はこの文言のみであり、該文献でも表記されているように開発課題の開示であり解決手段は開示されていない。
【特許文献１】特許第４０２４８１７号
【特許文献１】特公表２００９−５００２４６
【考案の開示】
【考案が解決しようとする課題】
【０００３】  本考案は、従来装置に鑑み案出されたものであり、構造が簡単で安価な装置を提供するためのものである。
【課題を解決するための手段】
【０００４】  本考案は、上記状況に鑑みて、接続具を有する指サックと、該指サックにガス導入装置を具備し、前記接続具に接続可能であって、ストップコックを備えた注射器とを具備する皮膚透過ガス収集装置により皮膚透過ガスを収集するとともに、該指サックに指紋認証装置や静脈認証装置等の認証装置を併設し、皮膚ガスの採取と同時に個人認証を合わせ行うようにしたことを特徴とする個人認証装置であり、精度の高い個人認証を実現することを目的とする。また腕などから皮膚ガス採取装置の使用のときに組み合わせて使用する個人認証装置との組み合わせにより、精度の高い個人認証を実現することになる。
【考案を実施するための形態】
【０００５】  図１、図２は本発明の第３参考例を示す皮膚透過ガス収集装置の構成図であり、図１（ａ）はその外観斜視図、図１（ｂ）はその皮膚透過ガスを皮膚透過ガス収集装置の下部槽へ充満させている状態を示す図、図１（ｃ）はその皮膚透過ガスを下部槽から上部槽へ流通させている状態を示す図、図１（ｄ）はその上部槽へ充満された皮膚透過ガスを封じた状態を示す図である。
【０００６】  これらの図において、１は皮膚透過ガス収集装置の容器、１Ａはその容器１内の下部槽、１Ｂはその容器１内の上部槽、２はその容器１内の下部に配置され、中央部に開口２Ａを有する仕切板、３はその仕切板２の開口２Ａを開閉可能な操作部材、４はその操作部材３の上端に設けられる摘まみ、５はその操作部材３のロッド、６はそのロッド５の下端に設けられる弁部材、７は容器１とロッド５間を封止するＯリング、８は容器１に設けられる皮膚透過ガスを排気するための送風口、９は容器１に設けられる皮膚透過ガスの導出口であり、１０は被験者の皮膚である。
【０００７】  以下、この装置の動作について説明する。
【０００８】  まず、図１（ｂ）に示すように、操作部材３を押し下げて、仕切板２の開口２Ａが弁部材６によって閉じられた状態で、皮膚透過ガス収集装置の容器１を被験者の皮膚１０に押し当て固定する。その状態で被験者の皮膚１０からの皮膚透過ガスを下部槽１Ａに収集する。なお、ここでは、容器１に設けられる皮膚透過ガスを排気するための送風口及び皮膚透過ガスの導出口９は閉じておく。
【０００９】  次に、皮膚透過ガスの収集が終わると、図１（ｃ）に示すように、操作部材３を引き上げて、仕切板２の開口２Ａを開く。すると、下部槽１Ａに収集された皮膚透過ガスが上部槽１Ｂへ流通する。
【００１０】  次に、図１（ｄ）に示すように、操作部材３を再び押し下げることによって、仕切板２の開口２Ａを閉じ、上部槽１Ｂ内に皮膚透過ガスを閉じ込め貯える。
【００１１】  次に、図示しないが、皮膚透過ガスの導出口９を開き、送風口８も開いて、送風口８からの通気により、皮膚透過ガスを追い出してその皮膚透過ガスを測定に供する。
【００１２】  図２は本発明の第３参考例を示す皮膚透過ガス収集装置と個人認証装置２９−１とを組み合わせた構成図である。
【００１３】  図３は本発明の第１参考例および第２参考例を示す皮膚透過ガス収集装置の構成図であり、図３（ａ）は指サックとそれに接続される注射器を示す図、図３（ｂ）は指サックを指に装着した状態を示す図、図３（ｃ）はその指サックに注射器により空気を充満した状態を示す図、図３（ｄ）はその空気と皮膚透過ガスを吸入した状態を示す図である。
【００１４】  この図において、２１は指サック（テフロン（登録商標）製のフクロ）、２２は接続具（例えば、コック）、２３は注射器（１００ｍｌ）、２４はストップコック、２５は指サック２２の根本に外側から装着されるゴムまたはクリップ、２６は被験者の指、２７はガス導入装置、２８は空気が充満されて膨らんだ状態の指サックである。２９−２は指紋認証装置または静脈認証装置等の個人認証装置である。
【００１５】  この実施例によれば、以下の３つの方法により、皮膚透過ガスを回収することができ、同時に皮膚ガスを特定するための個人認証装置による確度の高い個人情報を同時に得られる。
【００１６】〔１〕第１の方法
図３（ａ）に示すように、先端にコック２２を有する指サック２１と、コック２２に接続可能な、ストップコック２４をもった注射器２３を用意し、図３（ｂ）に示すように、指サック２１を指２５に装着する。次に、図３（ｃ）に示すように、ストップコック２４を開口して、コック２２を開口して注射器２３からガス（乾燥空気）を導入し、指サック２１が膨らんだ状態にした後密封しストップコック２４を閉じる。そこで、被験者の指２６から皮膚透過ガスを採集する。皮膚透過ガスを採集できたら、その皮膚透過ガスをストップコック２４を開口して、コック２２を介して注射器２３へ回収する。同時に指において個人認証を測定する個人認証装置により、個人認証情報を記録する。
【００１７】〔２〕第２の方法
図３（ａ）に示すように、先端にコック２２を有する指サック２１と、コック２２に接続可能な、ストップコック２４をもった注射器２３を用意し、図２（ｂ）に示すように、指サック２１を指２６に装着する。次いで図３（ｃ）に示すように、ストップコック２４を閉じて、ガス導入装置２７を開いてガス（乾燥空気）を導入し、指サック２１が膨らんだ状態にした後密封し、皮膚透過ガスを採集する。皮膚透過ガスを採集できたら、その皮膚透過ガスを、ストップコック２４を開口してコック２２を介して注射器２３へ回収する。同時に指において個人認証を測定する個人認証装置により、個人認証情報を記録する。
【００１８】  また、上記に限定することなく、コック２２からガスを導入して、皮膚透過ガスを収集し、注射器２３へ皮膚透過ガスを回収するようにしたり、ガス導入装置２７からガスを導入して、皮膚透過ガスを収集し、コック２２から回収するなど種々の変形が可能である。これらにより皮膚ガスの検知とともに市販の指紋認証装置２９−２を併設し、使用するものである。指紋認証装置２９−２の代わりに市販の静脈認証装置を使用してもよい。
【００１９】  このように構成することにより、身体皮膚表面、ここでは単に指回りの皮膚表面から発散ガスを容易に採集し、回収することができ、同時に皮膚ガスを特定する精度の高い個人認証が行える。
【００２０】〔３〕第３の方法
図１（ｂ）に示すように、操作部材３を押し下げて、仕切板２の開口２Ａが弁部材６によって閉じられた状態で、皮膚透過ガス収集装置の容器１を被験者の皮膚１０に押し当て固定する。その状態で被験者の皮膚１０からの皮膚透過ガスを下部槽１Ａに収集する。なお、ここでは、容器１に設けられる皮膚透過ガスを排気するための送風口及び皮膚透過ガスの導出口９は閉じておく。次に、皮膚透過ガスの収集が終わると、図１（ｃ）に示すように、操作部材３を引き上げて、仕切板２の開口２Ａを開く。すると、下部槽１Ａに収集された皮膚透過ガスが上部槽１Ｂへ流通する。そして、図１（ｄ）に示すように、操作部材３を再び押し下げることによって、仕切板２の開口２Ａを閉じ、上部槽１Ｂ内に皮膚透過ガスを閉じ込め貯える。
【００２１】同時に指において個人認証を測定する個人認証装置２９−１により、個人認証情報を記録する。
【００２２】個人認証装置を取り付ける人の部位については、指が好適であるが、手のひらであってよく、またその他の部位であってもよい。
【００２３】このように構成することにより、身体皮膚表面、ここでは単に腕回りの皮膚表面から発散ガスを容易に採集し、回収することができ、同時に皮膚ガスを特定する精度の高い個人認証が行える。
【考案の効果】
【００２４】  皮膚ガスは人の体の状態を反映しているため、皮膚ガスの分析により得られた測定値は人の健康モニターとして用いることができる。
また、皮膚ガスを捕集する際に捕集する人物を特定する機能を附与する。すなわち指紋情報あるいは静脈情報を同時に入手する手段を皮膚ガス捕集具に附与することにより、捕集した皮膚ガスの特定化ができる。
これらにより、皮膚ガス成分の濃度と他の関連手段、例えば自動車のキィーロックシステムの連動の際に、皮膚ガスの個人特定がされると、皮膚成分とのキィーロックシステムとの有効性が高まる。この場合、皮膚ガス中のアルコール成分と個人情報、自動車所有者・運転許可者の自動車キィーロックシステムの連携が完成される。
【図面の簡単な説明】
【００２５】
【図１】本考案による第３参考例を示す皮膚透過ガス収集装置の皮膚ガス採取の構成図である。
【図２】本考案による第３参考例を示す皮膚透過ガス収集装置と個人認証装置とを組み合わせた全体構成図である。
【図３】本考案による第１参考例、第２参考例を示す皮膚透過ガス収集装置と個人認証装置とを組み合わせた構成図である。
【符号の説明】    １      ・・・皮膚透過ガス収集装置の容器
１Ａ    ・・・容器内の下部槽
１Ｂ    ・・・容器内の上部槽
２      ・・・仕切板
２Ａ    ・・・開口
３      ・・・操作部材
４      ・・・摘まみ
５      ・・・ロッド
６      ・・・弁部材
７      ・・・Ｏリング
８      ・・・皮膚透過ガスの導出部
９      ・・・被験者の皮膚
２１    ・・・指サック
２２    ・・・接続具（コック）
２３    ・・・注射器
２４    ・・・ストップコック
２５    ・・・人指し指
２６    ・・・小指
２７    ・・・ガス導入装置
２８    ・・・空気が充満されて膨らんだ状態の指サック
２９−１・・・指紋認証装置又は静脈認証装置
２９−２・・・指紋認証装置又は静脈認証装置
【図１】
0003153528.tif 000003
【図２】
0003153528.tif 000004
【図３】
0003153528.tif 000005